(57)【要約】  本発明はデータ伝送方法及び装置、コンピュータ記憶媒体を開示する。前記方法は、第１のネットワーク装置が端末によって送信された登録リクエストメッセージ又は登録更新リクエストメッセージを受信することと、前記第１のネットワーク装置が、前記登録リクエストメッセージ又は登録更新リクエストメッセージに基づいて、第２のネットワーク装置から端末コンテキスト情報及び端末データを取得することと、前記第１のネットワーク装置が前記端末に登録応答メッセージを送信することとを含む。
2021513763.tif 000002
【特許請求の範囲】
【請求項１】
データ伝送方法であって、
第１のネットワーク装置が、端末によって送信された登録リクエストメッセージ又は登録更新リクエストメッセージを受信することと、
前記第１のネットワーク装置が、前記登録リクエストメッセージ又は登録更新リクエストメッセージに基づいて、第２のネットワーク装置から端末コンテキスト情報及び端末データを取得することと、
前記第１のネットワーク装置が、前記端末に登録応答メッセージを送信することとを含む、前記データ伝送方法。
【請求項２】
前記第１のネットワーク装置が、端末によって送信された登録リクエストメッセージ又は登録更新リクエストメッセージを受信することは、
前記端末が前記第２のネットワーク装置に対応するサービスエリアから前記第１のネットワーク装置に対応するサービスエリアに移動する場合、前記第１のネットワーク装置が、前記端末によって送信された登録リクエストメッセージ又は登録更新リクエストメッセージを受信することを含むことを特徴とする
請求項１に記載の方法。
【請求項３】
前記登録リクエストメッセージ又は登録更新リクエストメッセージには前記第２のネットワーク装置の情報が搬送され、
前記第１のネットワーク装置が、前記登録リクエストメッセージ又は登録更新リクエストメッセージに基づいて、第２のネットワーク装置から端末コンテキスト情報を取得することは、
前記第１のネットワーク装置が、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得することを含むことを特徴とする
請求項１に記載の方法。
【請求項４】
前記第２のネットワーク装置の情報に基づいて前記第２のネットワーク装置から端末コンテキスト情報を取得することは、
前記第１のネットワーク装置が、前記第２のネットワーク装置の情報に基づいて、前記第２のネットワーク装置に端末コンテキスト情報取得リクエストメッセージを送信することと、
前記第１のネットワーク装置が、前記第２のネットワーク装置によって送信された端末コンテキスト情報を受信することとを含むことを特徴とする
請求項３に記載の方法。
【請求項５】
前記登録リクエストメッセージ又は登録更新リクエストメッセージには第１の指示情報が搬送され、前記第１の指示情報は、前記第２のネットワーク装置から端末データを取得するか否かを指示するために使用され、
前記方法は、
前記第１のネットワーク装置が、前記登録リクエストメッセージ又は登録更新リクエストメッセージから前記第１の指示情報を抽出することと、
前記第１のネットワーク装置が、前記第１の指示情報に基づいて、前記第２のネットワーク装置から端末データを取得するか否かを決定することと、
前記第２のネットワーク装置から端末データを取得することを決定する場合、前記第１のネットワーク装置が、前記第２のネットワーク装置に端末データ取得リクエストメッセージを送信することと、
前記第１のネットワーク装置が、前記第２のネットワーク装置によって送信された端末データを受信することとをさらに含むことを特徴とする
請求項１に記載の方法。
【請求項６】
前記登録リクエストメッセージ又は登録更新リクエストメッセージには端末アップリンクデータが搬送され、
前記方法は、
前記第１のネットワーク装置が、前記登録リクエストメッセージ又は登録更新リクエストメッセージから前記端末アップリンクデータを抽出し、前記端末アップリンクデータをキャッシュすることと、
前記第１のネットワーク装置が、前記端末コンテキスト情報を取得した後、キャッシュされたアップリンクデータを第３のネットワーク装置に送信することとをさらに含むことを特徴とする
請求項１に記載の方法。
【請求項７】
前記方法は、
前記第１のネットワーク装置が前記端末コンテキスト情報を取得しない場合、前記第１のネットワーク装置が前記端末の登録リクエストメッセージ又は登録更新リクエストメッセージを拒否し、前記端末に第２の指示情報を送信することであって、前記第２の指示情報は、端末のアップリンクデータが第３のネットワーク装置に送信されないことを指示すために使用されることをさらに含むことを特徴とする
請求項６に記載の方法。
【請求項８】
前記登録応答メッセージには端末ダウンリンクデータが搬送されてもよいことを特徴とする
請求項１ないし７のいずれか一項に記載の方法。
【請求項９】
データ伝送方法であって、
端末が第１のネットワーク装置に登録リクエストメッセージ又は登録更新リクエストメッセージを送信することであって、前記登録リクエストメッセージ又は登録更新リクエストメッセージが第２のネットワーク装置から端末コンテキスト情報及び端末データを取得するように前記第１のネットワーク装置をトリガするために使用されることと、
前記端末が、前記第１のネットワーク装置によって送信された登録応答メッセージを受信することとを含む、前記データ伝送方法。
【請求項１０】
前記端末が、第１のネットワーク装置に登録リクエストメッセージ又は登録更新リクエストメッセージを送信することは、
前記端末が前記第２のネットワーク装置に対応するサービスエリアから前記第１のネットワーク装置に対応するサービスエリアに移動する場合、前記端末が、第１のネットワーク装置に登録リクエストメッセージ又は登録更新リクエストメッセージを送信することを含むことを特徴とする
請求項９に記載の方法。
【請求項１１】
前記登録リクエストメッセージ又は登録更新リクエストメッセージには前記第２のネットワーク装置の情報が搬送されることを特徴とする
請求項９に記載の方法。
【請求項１２】
前記登録リクエストメッセージ又は登録更新リクエストメッセージには第１の指示情報が搬送され、前記第１の指示情報は、前記第２のネットワーク装置から端末データを取得するか否かを指示するために使用されることを特徴とする
請求項９に記載の方法。
【請求項１３】
前記登録リクエストメッセージ又は登録更新リクエストメッセージには端末アップリンクデータが搬送されることを特徴とする
請求項９に記載の方法。
【請求項１４】
前記方法は、
前記端末が、前記第１のネットワーク装置によって送信された第２の指示情報を受信することであって、前記第２の指示情報が、端末のアップリンクデータが第３のネットワーク装置に送信されないことを指示するために使用されることをさらに含むことを特徴とする
請求項９に記載の方法。
【請求項１５】
前記登録応答メッセージには端末ダウンリンクデータが搬送されてもよいことを特徴とする
請求項９ないし１４のいずれか一項に記載の方法。
【請求項１６】
データ伝送装置であって、
端末によって送信された登録リクエストメッセージ又は登録更新リクエストメッセージを受信するように構成される受信ユニットと、
前記登録リクエストメッセージ又は登録更新リクエストメッセージに基づいて、第２のネットワーク装置から端末コンテキスト情報を取得するように構成される第１の取得ユニットと、
第２のネットワーク装置から端末データを取得するように構成される第２の取得ユニットと、
前記端末に登録応答メッセージを送信するように構成される第１の送信ユニットとを備える、前記データ伝送装置。
【請求項１７】
前記端末が前記第２のネットワーク装置に対応するサービスエリアから第１のネットワーク装置に対応するサービスエリアに移動する場合、前記受信ユニットは、前記端末によって送信された登録リクエストメッセージ又は登録更新リクエストメッセージを受信することを特徴とする
請求項１６に記載の装置。
【請求項１８】
前記登録リクエストメッセージ又は登録更新リクエストメッセージには前記第２のネットワーク装置の情報が搬送され、
前記第１の取得ユニットは、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得するように構成されることを特徴とする
請求項１６に記載の装置。
【請求項１９】
前記第１の取得ユニットは、前記第２のネットワーク装置の情報に基づいて、前記第２のネットワーク装置に端末コンテキスト情報取得リクエストメッセージを送信し、前記第２のネットワーク装置によって送信された端末コンテキスト情報を受信するように構成されることを特徴とする
請求項１８に記載の装置。
【請求項２０】
前記登録リクエストメッセージ又は登録更新リクエストメッセージには第１の指示情報が搬送され、前記第１の指示情報は、前記第２のネットワーク装置から端末データを取得するか否かを指示するために使用され、
前記装置はさらに、
前記登録リクエストメッセージ又は登録更新リクエストメッセージから前記第１の指示情報を抽出するように構成される第１の抽出ユニットと、
前記第１の指示情報に基づいて、前記第２のネットワーク装置から端末データを取得するか否かを決定するように構成される決定ユニットとを備え、
前記第２の取得ユニットは、前記第２のネットワーク装置から端末データを取得することを決定する場合、前記第２のネットワーク装置に端末データ取得リクエストメッセージを送信し、前記第２のネットワーク装置によって送信された端末データを受信するように構成されることを特徴とする
請求項１６に記載の装置。
【請求項２１】
前記登録リクエストメッセージ又は登録更新リクエストメッセージには端末アップリンクデータが搬送され、
前記装置はさらに、
前記登録リクエストメッセージ又は登録更新リクエストメッセージから前記端末アップリンクデータを抽出し、前記端末アップリンクデータをキャッシュするように構成される第２の抽出ユニットと、
前記第１の取得ユニットが前記端末コンテキスト情報を取得した後、キャッシュされたアップリンクデータを第３のネットワーク装置に送信するように構成される第２の送信ユニットとを備えることを特徴とする
請求項１６に記載の装置。
【請求項２２】
前記装置はさらに、
前記第１の取得ユニットが前記端末コンテキスト情報を取得しない場合、前記端末の登録リクエストメッセージ又は登録更新リクエストメッセージを拒否し、前記端末に第２の指示情報を送信するように構成される第３の送信ユニットであって、前記第２の指示情報は、端末のアップリンクデータが第３のネットワーク装置に送信されないことを指示するために使用される第３の送信ユニットを備えることを特徴とする
請求項２１に記載の装置。
【請求項２３】
前記登録応答メッセージには端末ダウンリンクデータが搬送されてもよいことを特徴とする
請求項１６ないし２２のいずれか一項に記載の装置。
【請求項２４】
データ伝送装置であって、
第１のネットワーク装置に登録リクエストメッセージ又は登録更新リクエストメッセージを送信するように構成される送信ユニットであって、前記登録リクエストメッセージ又は登録更新リクエストメッセージが第２のネットワーク装置から端末コンテキスト情報及び端末データを取得するように前記第１のネットワーク装置をトリガするために使用される送信ユニットと、
前記第１のネットワーク装置によって送信された登録応答メッセージを受信するように構成される第１の受信ユニットとを備える、前記データ伝送装置。
【請求項２５】
前記端末が前記第２のネットワーク装置に対応するサービスエリアから前記第１のネットワーク装置に対応するサービスエリアに移動する場合、前記送信ユニットは、第１のネットワーク装置に登録リクエストメッセージ又は登録更新リクエストメッセージを送信することを特徴とする
請求項２４に記載の装置。
【請求項２６】
前記登録リクエストメッセージ又は登録更新リクエストメッセージには前記第２のネットワーク装置の情報が搬送されることを特徴とする
請求項２４に記載の装置。
【請求項２７】
前記登録リクエストメッセージ又は登録更新リクエストメッセージには第１の指示情報が搬送され、前記第１の指示情報は、前記第２のネットワーク装置から端末データを取得するか否かを指示するために使用されることを特徴とする
請求項２４に記載の装置。
【請求項２８】
前記登録リクエストメッセージ又は登録更新リクエストメッセージには端末アップリンクデータが搬送されることを特徴とする
請求項２４に記載の装置。
【請求項２９】
前記装置はさらに、
前記第１のネットワーク装置によって送信された第２の指示情報を受信するように構成される第２の受信ユニットであって、前記第２の指示情報が、端末のアップリンクデータが第３のネットワーク装置に送信されないことを指示するために使用される第２の受信ユニットを備えることを特徴とする
請求項２４に記載の装置。
【請求項３０】
前記登録応答メッセージには端末ダウンリンクデータが搬送されてもよいことを特徴とする
請求項２４ないし２９のいずれか一項に記載の装置。
【請求項３１】
コンピュータ実行可能命令を記憶し、前記コンピュータ実行可能命令がプロセッサによって実行される時に請求項１ないし８のいずれか一項に記載の方法のステップ、又は請求項９ないし１５のいずれか一項に記載の方法のステップを実現するコンピュータ記憶媒体。
【発明の詳細な説明】
【技術分野】
【０００１】
本発明は、無線通信技術分野に関し、特にデータ伝送方法及び装置、コンピュータ記憶媒体に関する。
【背景技術】
【０００２】
スモールデータ伝送方式では、低頻度のスモールデータが制御プレーンで伝送されてもよく、ここで、スモールデータは、非アクセス層（ＮＡＳ：非アクセス層）におけるプロトコルデータユニット（ＰＤＵ：Ｐｒｏｔｏｃｏｌ  Ｄａｔａ  Ｕｎｉｔ）にカプセル化され、ＮＡＳメッセージを介して制御プレーンで伝送される。従来のプロトコルでは、端末とネットワーク側が制御プレーンでスモールデータを伝送する場合、当該データのベアラ情報を搬送する。
【０００３】
しかしながら、データの伝送プロセスにおいて、並行プロセスが発生する可能性がある。例えば、端末が古いネットワーク装置から新しいネットワーク装置に移動する場合、端末は登録更新プロセスを実行する必要があり、どのように並行プロセスでデータの伝送を実現するかは解決すべき問題である。
【発明の概要】
【発明が解決しようとする課題】
【０００４】
上記の技術的問題を解決するために、本発明の実施例はデータ伝送方法及び装置、コンピュータ記憶媒体を提供する。
【課題を解決するための手段】
【０００５】
本発明の実施例によるデータ伝送方法は、
第１のネットワーク装置が、端末によって送信された登録リクエストメッセージ又は登録更新リクエストメッセージを受信することと、
前記第１のネットワーク装置が、前記登録リクエストメッセージ又は登録更新リクエストメッセージに基づいて、第２のネットワーク装置から端末コンテキスト情報及び端末データを取得することと、
前記第１のネットワーク装置が前記端末に登録応答メッセージを送信することとを含む。
【０００６】
本発明の実施例では、前記第１のネットワーク装置が、端末によって送信された登録リクエストメッセージ又は登録更新リクエストメッセージを受信することは、
前記端末が、前記第２のネットワーク装置に対応するサービスエリアから前記第１のネットワーク装置に対応するサービスエリアに移動する場合、前記第１のネットワーク装置が、前記端末によって送信された登録リクエストメッセージ又は登録更新リクエストメッセージを受信することを含む。
【０００７】
本発明の実施例では、前記登録リクエストメッセージ又は登録更新リクエストメッセージには前記第２のネットワーク装置の情報が搬送される。
【０００８】
前記第１のネットワーク装置が、前記登録リクエストメッセージ又は登録更新リクエストメッセージに基づいて、第２のネットワーク装置から端末コンテキスト情報を取得することは、
前記第１のネットワーク装置が、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得することを含む。
【０００９】
本発明の実施例では、前記第２のネットワーク装置の情報に基づいて前記第２のネットワーク装置から端末コンテキスト情報を取得することは、
前記第１のネットワーク装置が、前記第２のネットワーク装置の情報に基づいて、前記第２のネットワーク装置に端末コンテキスト情報取得リクエストメッセージを送信することと、
前記第１のネットワーク装置が、前記第２のネットワーク装置によって送信された端末コンテキスト情報を受信することとを含む。
【００１０】
本発明の実施例では、前記登録リクエストメッセージ又は登録更新リクエストメッセージには第１の指示情報が搬送され、前記第１の指示情報は、前記第２のネットワーク装置から端末データを取得するか否かを指示するために使用され、
前記方法は、
前記第１のネットワーク装置が、前記登録リクエストメッセージ又は登録更新リクエストメッセージから前記第１の指示情報を抽出することと、
前記第１のネットワーク装置が、前記第１の指示情報に基づいて、前記第２のネットワーク装置から端末データを取得するか否かを決定することと、
前記第２のネットワーク装置から端末データを取得することを決定する場合、前記第１のネットワーク装置が、前記第２のネットワーク装置に端末データ取得リクエストメッセージを送信することと、
前記第１のネットワーク装置が、前記第２のネットワーク装置によって送信された端末データを受信することとをさらに含む。
【００１１】
本発明の実施例では、前記登録リクエストメッセージ又は登録更新リクエストメッセージには端末アップリンクデータが搬送され、
前記方法は、
前記第１のネットワーク装置が、前記登録リクエストメッセージ又は登録更新リクエストメッセージから前記端末アップリンクデータを抽出し、前記端末アップリンクデータをキャッシュすることと、
前記第１のネットワーク装置が、前記端末コンテキスト情報を取得した後、キャッシュされたアップリンクデータを第３のネットワーク装置に送信することとをさらに含む。
【００１２】
本発明の実施例では、前記方法は、
前記第１のネットワーク装置が前記端末コンテキスト情報を取得しない場合、前記第１のネットワーク装置が前記端末の登録リクエストメッセージ又は登録更新リクエストメッセージを拒否し、前記端末に第２の指示情報を送信することであって、前記第２の指示情報は、端末のアップリンクデータが第３のネットワーク装置に送信されないことを指示すために使用されることをさらに含む。
【００１３】
本発明の実施例では、前記登録応答メッセージには端末ダウンリンクデータが搬送されてもよい。
【００１４】
本発明の実施例によるデータ伝送方法は、
端末が第１のネットワーク装置に登録リクエストメッセージ又は登録更新リクエストメッセージを送信することであって、前記登録リクエストメッセージ又は登録更新リクエストメッセージが第２のネットワーク装置から端末コンテキスト情報及び端末データを取得するように前記第１のネットワーク装置をトリガするために使用されることと、
前記端末が、前記第１のネットワーク装置によって送信された登録応答メッセージを受信することとを含む。
【００１５】
本発明の実施例では、前記端末が第１のネットワーク装置に登録リクエストメッセージ又は登録更新リクエストメッセージを送信することは、
前記端末が前記第２のネットワーク装置に対応するサービスエリアから前記第１のネットワーク装置に対応するサービスエリアに移動する場合、前記端末が、第１のネットワーク装置に登録リクエストメッセージ又は登録更新リクエストメッセージを送信することを含む。
【００１６】
本発明の実施例では、前記登録リクエストメッセージ又は登録更新リクエストメッセージには前記第２のネットワーク装置の情報が搬送される。
【００１７】
本発明の実施例では、前記登録リクエストメッセージ又は登録更新リクエストメッセージには第１の指示情報が搬送され、前記第１の指示情報は、前記第２のネットワーク装置から端末データを取得するか否かを指示するために使用される。
【００１８】
本発明の実施例では、前記登録リクエストメッセージ又は登録更新リクエストメッセージには端末アップリンクデータが搬送される。
【００１９】
本発明の実施例では、前記方法は、
前記端末が前記第１のネットワーク装置によって送信された第２の指示情報を受信することであって、前記第２の指示情報が、端末のアップリンクデータが第３のネットワーク装置に送信されないことを指示するために使用されることをさらに含む。
【００２０】
本発明の実施例では、前記登録応答メッセージには端末ダウンリンクデータが搬送されてもよい。
【００２１】
本発明の実施例によるデータ伝送装置は、
端末によって送信された登録リクエストメッセージ又は登録更新リクエストメッセージを受信するように構成される受信ユニットと、
前記登録リクエストメッセージ又は登録更新リクエストメッセージに基づいて、第２のネットワーク装置から端末コンテキスト情報を取得するように構成される第１の取得ユニットと、
第２のネットワーク装置から端末データを取得するように構成される第２の取得ユニットと、
前記端末に登録応答メッセージを送信するように構成される第１の送信ユニットとを備える。
【００２２】
本発明の実施例では、前記端末が前記第２のネットワーク装置に対応するサービスエリアから前記第１のネットワーク装置に対応するサービスエリアに移動する場合、前記受信ユニットは、前記端末によって送信された登録リクエストメッセージ又は登録更新リクエストメッセージを受信する。
【００２３】
本発明の実施例では、前記登録リクエストメッセージ又は登録更新リクエストメッセージには前記第２のネットワーク装置の情報が搬送され、
前記第１の取得ユニットは、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得するように構成される。
【００２４】
本発明の実施例では、前記第１の取得ユニットは、前記第２のネットワーク装置の情報に基づいて、前記第２のネットワーク装置に端末コンテキスト情報取得リクエストメッセージを送信し、前記第２のネットワーク装置によって送信された端末コンテキスト情報を受信するように構成される。
【００２５】
本発明の実施例では、前記登録リクエストメッセージ又は登録更新リクエストメッセージには第１の指示情報が搬送され、前記第１の指示情報は、前記第２のネットワーク装置から端末データを取得するか否かを指示するために使用され、
前記装置はさらに、
前記登録リクエストメッセージ又は登録更新リクエストメッセージから前記第１の指示情報を抽出するように構成される第１の抽出ユニットと、
前記第１の指示情報に基づいて、前記第２のネットワーク装置から端末データを取得するか否かを決定するように構成される決定ユニットとを備え、
前記第２の取得ユニットは、前記第２のネットワーク装置から端末データを取得することを決定する場合、前記第２のネットワーク装置に端末データ取得リクエストメッセージを送信し、前記第２のネットワーク装置によって送信された端末データを受信するように構成される。
【００２６】
本発明の実施例では、前記登録リクエストメッセージ又は登録更新リクエストメッセージには端末アップリンクデータが搬送され、
前記装置はさらに、
前記登録リクエストメッセージ又は登録更新リクエストメッセージから前記端末アップリンクデータを抽出し、前記端末アップリンクデータをキャッシュするように構成される第２の抽出ユニットと、
前記第１の取得ユニットが前記端末コンテキスト情報を取得した後、キャッシュされたアップリンクデータを第３のネットワーク装置に送信するように構成される第２の送信ユニットとを備える。
【００２７】
本発明の実施例では、前記装置はさらに、
前記第１の取得ユニットが前記端末コンテキスト情報を取得しない場合、前記端末の登録リクエストメッセージ又は登録更新リクエストメッセージを拒否し、前記端末に第２の指示情報を送信するように構成される第３の送信ユニットであって、前記第２の指示情報は、端末のアップリンクデータが第３のネットワーク装置に送信されないことを指示するために使用される第３の送信ユニットを備える。
【００２８】
本発明の実施例では、前記登録応答メッセージには端末ダウンリンクデータが搬送されてもよい。
【００２９】
本発明の実施例によるデータ伝送装置は、
第１のネットワーク装置に登録リクエストメッセージ又は登録更新リクエストメッセージを送信するように構成される送信ユニットであって、前記登録リクエストメッセージ又は登録更新リクエストメッセージが第２のネットワーク装置から端末コンテキスト情報及び端末データを取得するように前記第１のネットワーク装置をトリガするために使用される送信ユニットと、
前記第１のネットワーク装置によって送信された登録応答メッセージを受信するように構成される第１の受信ユニットとを備える。
【００３０】
本発明の実施例では、前記端末が前記第２のネットワーク装置に対応するサービスエリアから前記第１のネットワーク装置に対応するサービスエリアに移動する場合、前記送信ユニットは、第１のネットワーク装置に登録リクエストメッセージ又は登録更新リクエストメッセージを送信する。
【００３１】
本発明の実施例では、前記登録リクエストメッセージ又は登録更新リクエストメッセージには前記第２のネットワーク装置の情報が搬送される。
【００３２】
本発明の実施例では、前記登録リクエストメッセージ又は登録更新リクエストメッセージには第１の指示情報が搬送され、前記第１の指示情報は、前記第２のネットワーク装置から端末データを取得するか否かを指示するために使用される。
【００３３】
本発明の実施例では、前記登録リクエストメッセージ又は登録更新リクエストメッセージには端末アップリンクデータが搬送される。
【００３４】
本発明の実施例では、前記装置はさらに、
前記第１のネットワーク装置によって送信された第２の指示情報を受信するように構成される第２の受信ユニットを備え、前記第２の指示情報が、端末のアップリンクデータが第３のネットワーク装置に送信されないことを指示するために使用される。
【００３５】
本発明の実施例では、前記登録応答メッセージには端末ダウンリンクデータが搬送されてもよい。
【００３６】
本発明の実施例によるコンピュータ記憶媒体は、コンピュータ実行可能命令を記憶し、当該コンピュータ実行可能命令がプロセッサによって実行される時に上記のデータ伝送方法を実現する。
【発明の効果】
【００３７】
本発明の実施例の技術的解決策では、第１のネットワーク装置は、端末によって送信された登録リクエストメッセージ又は登録更新リクエストメッセージを受信し、前記第１のネットワーク装置は、前記登録リクエストメッセージ又は登録更新リクエストメッセージに基づいて、第２のネットワーク装置から端末コンテキスト情報を取得し、前記第１のネットワーク装置は前記端末に登録応答メッセージを送信する。本発明の実施例の技術的解決策により、端末が登録更新プロセスを実行する過程におけるデータ伝送が実現される。
【図面の簡単な説明】
【００３８】
ここで説明される図面は本発明をさらに理解させるためのものであり、本出願の一部を構成し、本発明の例示的な実施例及びその説明は本発明を解釈するためのものであり、本発明に対する不適切な限定を構成しない。
【図１】本発明の実施例の５Ｇネットワークのシステムアーキテクチャ図である。
【図２】本発明の実施例の４Ｇネットワークのシステムアーキテクチャ図である。
【図３】本発明の実施例のデータ伝送方法の例示的なフローチャート１である。
【図４】本発明の実施例のデータ伝送方法の例示的なフローチャート２である。
【図５】本発明の実施例のデータ伝送装置の構造の例示的な構成図１である。
【図６】本発明の実施例のデータ伝送装置の構造の例示的な構成図２である。
【図７】本発明の実施例のコンピュータ装置の構造の例示的な構成図である。
【発明を実施するための形態】
【００３９】
本発明の実施例の特徴と技術内容をより詳しく理解することができるために、以下に図面と組み合わせて本発明の実施例の実現を詳しく説明し、添付の図面が参照及び説明に用いられるものだけであるが、本発明の実施例を限定するためのものではない。
【００４０】
図１は本発明の実施例の５Ｇネットワークのシステムアーキテクチャ図である。図１に示すように、５Ｇネットワークシステムに関連する装置は、
端末（ＵＥ：Ｕｓｅｒ  Ｅｑｕｉｐｍｅｎｔ）、無線アクセスネットワーク（ＲＡＮ：Ｒａｄｉｏ  Ａｃｃｅｓｓ  Ｎｅｔｗｏｒｋ）、ユーザプレーン機能（ＵＰＦ：Ｕｓｅｒ  Ｐｌａｎｅ  Ｆｕｎｃｔｉｏｎ）、データネットワーク（ＤＮ：Ｄａｔａ  Ｎｅｔｗｏｒｋ）、コアアクセス及びモビリティ管理機能エンティティ（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能エンティティ（ＳＭＦ：Ｓｅｓｓｉｏｎ  Ｍａｎａｇｅｍｅｎｔ  Ｆｕｎｃｔｉｏｎ）、ポリシー制御機能エンティティ（ＰＣＦ：Ｐｏｌｉｃｙ  Ｃｏｎｔｒｏｌ  ｆｕｎｃｔｉｏｎ）、アプリケーション機能エンティティ（ＡＦ：Ａｐｐｌｉｃａｔｉｏｎ  Ｆｕｎｃｔｉｏｎ）、認証サーバー機能エンティティ（ＡＵＳＦ：Ａｕｔｈｅｎｔｉｃａｔｉｏｎ  Ｓｅｒｖｅｒ  Ｆｕｎｃｔｉｏｎ）、統一データ管理エンティティ（ＵＤＭ：Ｕｎｉｆｉｅｄ  Ｄａｔａ  Ｍａｎａｇｅｍｅｎｔ）を含む。
【００４１】
図２は本発明の実施例の４Ｇネットワークのシステムアーキテクチャ図である。図２に示すように、４Ｇネットワークシステムに関連する装置は、
端末（ＵＥ：Ｕｓｅｒ  Ｅｑｕｉｐｍｅｎｔ）、進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、モビリティ管理エンティティ（ＭＭＥ：Ｍｏｂｉｌｉｔｙ  Ｍａｎａｇｅｍｅｎｔ  Ｅｎｔｉｔｙ）ネットワーク要素、サービングＧＰＲＳサポートノード（ＳＧＳＮ：Ｓｅｒｖｉｎｇ  ＧＰＲＳ  Ｓｕｐｐｏｒｔ  Ｎｏｄｅ）、ホームサブスクライバサーバ（ＨＳＳ：Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ：Ｐａｃｋｅｔ  Ｄａｔａ  Ｎｅｔｗｏｒｋ  Ｇａｔｅｗａｙ）、ポリシー及び課金ルール機能ユニット（ＰＣＲＦ：Ｐｏｌｉｃｙ  ａｎｄ  Ｃｈａｒｇｉｎｇ  Ｒｕｌｅｓ  Ｆｕｎｃｔｉｏｎ）を含む。
【００４２】
上記の図１、図２の例は本発明の実施例を実現するための１つのネットワークアーキテクチャの例だけであり、本発明の実施例は、上記の図１、図２に記載されるネットワーク構造に限定されない。
【００４３】
図３は、本発明の実施例のデータ伝送方法のフローチャート１である。図３に示すように、前記データ伝送方法は以下のステップを含む。
【００４４】
ステップ３０１において、第１のネットワーク装置は、端末によって送信された登録リクエストメッセージ又は登録更新リクエストメッセージを受信する。
【００４５】
本発明の実施例では、第１のネットワーク装置と第２のネットワーク装置はアクセスネットワーク側の装置、例えば５ＧシステムにおけるｇＮＢ、４ＧシステムにおけるｅＮＢなどであってもよい。また、コアネットワーク側の装置は第３のネットワーク装置と呼ばれてもよい。
【００４６】
端末が第２のネットワーク装置に対応するサービスエリアに位置し、端末と第２のネットワーク装置との間でデータ伝送を行うと仮定する。端末が第２のネットワーク装置に対応するサービスエリアから前記第１のネットワーク装置に対応するサービスエリアに移動する場合、端末は登録更新プロセスを開始し、即ち端末は第１のネットワーク装置に登録リクエストメッセージ又は登録更新リクエストメッセージを送信する。それに対応して、前記端末が前記第２のネットワーク装置に対応するサービスエリアから前記第１のネットワーク装置に対応するサービスエリアに移動する場合、前記第１のネットワーク装置は前記端末によって送信された登録リクエストメッセージ又は登録更新リクエストメッセージを受信する。
【００４７】
上記の技術案では、第２のネットワークが元々端末にサービスを提供するためのネットワーク装置であり、したがって、第２のネットワーク装置は古いネットワーク装置とも呼ばれる。同様に、第１のネットワークが現在端末にサービスを提供しているネットワーク装置であるため、第１のネットワーク装置は新しいネットワーク装置とも呼ばれる。
【００４８】
ステップ３０２において、前記第１のネットワーク装置は、前記登録リクエストメッセージ又は登録更新リクエストメッセージに基づいて、第２のネットワーク装置から端末コンテキスト情報及び端末データを取得する。
【００４９】
一実施形態では、前記登録リクエストメッセージ又は登録更新リクエストメッセージには前記第２のネットワーク装置の情報が搬送される。第１のネットワーク装置が端末によって送信された登録リクエストメッセージ又は登録更新リクエストメッセージを受信する場合、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得する。
【００５０】
さらに、前記第１のネットワーク装置は、前記第２のネットワーク装置の情報に基づいて、前記第２のネットワーク装置に端末コンテキスト情報取得リクエストメッセージを送信し、前記第１のネットワーク装置は、前記第２のネットワーク装置によって送信された端末コンテキスト情報を受信する。
【００５１】
また、第２のネットワーク装置が端末とデータ伝送を実行したため、第２のネットワーク装置側にはまだ端末データが記憶され、一実施形態では、前記登録リクエストメッセージ又は登録更新リクエストメッセージには第１の指示情報が搬送され、前記第１の指示情報は、前記第２のネットワーク装置から端末データを取得するか否かを指示するために使用される。
【００５２】
それに対応して、前記第１のネットワーク装置は前記登録リクエストメッセージ又は登録更新リクエストメッセージから前記第１の指示情報を抽出し、前記第１のネットワーク装置は前記第１の指示情報に基づいて、前記第２のネットワーク装置から端末データを取得するか否かを決定し、前記第２のネットワーク装置から端末データを取得することを決定する場合、前記第１のネットワーク装置は前記第２のネットワーク装置に端末データ取得リクエストメッセージを送信し、前記第１のネットワーク装置は前記第２のネットワーク装置によって送信された端末データを受信する。
【００５３】
一実施形態では、前記登録リクエストメッセージ又は登録更新リクエストメッセージには端末アップリンクデータが搬送されてもよく、それに対応して、前記第１のネットワーク装置は前記登録リクエストメッセージ又は登録更新リクエストメッセージから前記端末アップリンクデータを抽出し、前記端末アップリンクデータをキャッシュし、前記第１のネットワーク装置は、前記端末コンテキスト情報を取得した後、キャッシュされたアップリンクデータを第３のネットワーク装置に送信する。
【００５４】
上記の技術案では、前記第１のネットワーク装置が前記端末コンテキスト情報を取得しない場合、前記第１のネットワーク装置は、前記端末の登録リクエストメッセージ又は登録更新リクエストメッセージを拒否し、前記端末に第２の指示情報を送信し、前記第２の指示情報は、端末のアップリンクデータが第３のネットワーク装置に送信されないことを指示するために使用される。
【００５５】
ステップ３０３において、前記第１のネットワーク装置は、前記端末に登録応答メッセージを送信する。
【００５６】
一実施形態では、前記登録応答メッセージには端末ダウンリンクデータが搬送されてもよい。
【００５７】
図４は本発明の実施例のデータ伝送方法のフローチャート２であり、図４に示すように、前記データ伝送方法は以下のステップを含む。
【００５８】
ステップ４０１において、端末は第１のネットワーク装置に登録リクエストメッセージ又は登録更新リクエストメッセージを送信し、ここで、前記登録リクエストメッセージ又は登録更新リクエストメッセージが第２のネットワーク装置から端末コンテキスト情報及び端末データを取得するように前記第１のネットワーク装置をトリガするために使用される。
【００５９】
本発明の実施例では、端末は携帯電話、タブレットコンピュータ、ラップトップコンピュータ、デスクトップコンピュータなどのネットワークと通信できるいずれかの装置であってもよい。
【００６０】
本発明の実施例では、端末が前記第２のネットワーク装置に対応するサービスエリアから前記第１のネットワーク装置に対応するサービスエリアに移動する場合、前記端末は、第１のネットワーク装置に登録リクエストメッセージ又は登録更新リクエストメッセージを送信する。
【００６１】
一実施形態では、前記登録リクエストメッセージ又は登録更新リクエストメッセージには前記第２のネットワーク装置の情報が搬送される。
【００６２】
それに対応して、第１のネットワーク装置が端末によって送信された登録リクエストメッセージ又は登録更新リクエストメッセージを受信する場合、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得する。さらに、前記第１のネットワーク装置は、前記第２のネットワーク装置の情報に基づいて、前記第２のネットワーク装置に端末コンテキスト情報取得リクエストメッセージを送信し、前記第１のネットワーク装置は、前記第２のネットワーク装置によって送信された端末コンテキスト情報を受信する。
【００６３】
また、第２のネットワーク装置が端末とデータ伝送を実行したため、第２のネットワーク装置側にまだ端末データが記憶され、一実施形態では、前記登録リクエストメッセージ又は登録更新リクエストメッセージには第１の指示情報が搬送され、前記第１の指示情報は、前記第２のネットワーク装置から端末データを取得するか否かを指示するために使用される。
【００６４】
それに対応して、前記第１のネットワーク装置は前記登録リクエストメッセージ又は登録更新リクエストメッセージから前記第１の指示情報を抽出し、前記第１のネットワーク装置は前記第１の指示情報に基づいて、前記第２のネットワーク装置から端末データを取得するか否かを決定し、前記第２のネットワーク装置から端末データを取得することを決定する場合、前記第１のネットワーク装置は前記第２のネットワーク装置に端末データ取得リクエストメッセージを送信し、前記第１のネットワーク装置は前記第２のネットワーク装置によって送信された端末データを受信する。
【００６５】
一実施形態では、前記登録リクエストメッセージ又は登録更新リクエストメッセージには端末アップリンクデータが搬送される。
【００６６】
それに対応して、前記第１のネットワーク装置は前記登録リクエストメッセージ又は登録更新リクエストメッセージから前記端末アップリンクデータを抽出し、前記端末アップリンクデータをキャッシュし、前記第１のネットワーク装置は、前記端末コンテキスト情報を取得した後、キャッシュされたアップリンクデータを第３のネットワーク装置に送信する。
【００６７】
ステップ４０２において、前記端末は、前記第１のネットワーク装置によって送信された登録応答メッセージを受信する。
【００６８】
上記の技術案では、前記第１のネットワーク装置が前記端末コンテキスト情報を取得しない場合、前記第１のネットワーク装置は、前記端末の登録リクエストメッセージ又は登録更新リクエストメッセージを拒否し、前記端末に第２の指示情報を送信し、前記第２の指示情報は、端末のアップリンクデータが第３のネットワーク装置に送信されないことを指示するために使用される。
【００６９】
それに対応して、前記端末は、前記第１のネットワーク装置によって送信された第２の指示情報を受信し、前記第２の指示情報が、端末のアップリンクデータが第３のネットワーク装置に送信されないことを指示するために使用される。
【００７０】
一実施形態では、前記登録応答メッセージには端末ダウンリンクデータが搬送されてもよい。
【００７１】
図５は本発明の実施例のデータ伝送装置の構造の例示的な構成図である。図５に示すように、前記データ伝送装置は、
端末によって送信された登録リクエストメッセージ又は登録更新リクエストメッセージを受信するように構成される受信ユニット５０１と、
前記登録リクエストメッセージ又は登録更新リクエストメッセージに基づいて、第２のネットワーク装置から端末コンテキスト情報を取得するように構成される第１の取得ユニット５０２と、
第２のネットワーク装置から端末データを取得するように構成される第２の取得ユニット５０３と、
前記端末に登録応答メッセージを送信するように構成される第１の送信ユニット５０４とを備える。
【００７２】
一実施形態では、前記端末が前記第２のネットワーク装置に対応するサービスエリアから前記第１のネットワーク装置に対応するサービスエリアに移動する場合、前記受信ユニット５０１は前記端末によって送信された登録リクエストメッセージ又は登録更新リクエストメッセージを受信する。
【００７３】
一実施形態では、前記登録リクエストメッセージ又は登録更新リクエストメッセージには前記第２のネットワーク装置の情報が搬送される。
【００７４】
前記第１の取得ユニット５０２は、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得するように構成される。
【００７５】
一実施形態では、前記第１の取得ユニット５０２は、前記第２のネットワーク装置の情報に基づいて、前記第２のネットワーク装置に端末コンテキスト情報取得リクエストメッセージを送信し、前記第２のネットワーク装置によって送信された端末コンテキスト情報を受信するように構成される。
【００７６】
一実施形態では、前記登録リクエストメッセージ又は登録更新リクエストメッセージには第１の指示情報が搬送され、前記第１の指示情報は、前記第２のネットワーク装置から端末データを取得するか否かを指示するために使用され、
前記装置はさらに、
前記登録リクエストメッセージ又は登録更新リクエストメッセージから前記第１の指示情報を抽出するように構成される第１の抽出ユニット５０５と、
前記第１の指示情報に基づいて、前記第２のネットワーク装置から端末データを取得するか否かを決定するように構成される決定ユニット５０６とを備え、
前記第２の取得ユニット５０３は、前記第２のネットワーク装置から端末データを取得することを決定する場合、前記第２のネットワーク装置に端末データ取得リクエストメッセージを送信し、前記第２のネットワーク装置によって送信された端末データを受信するように構成される。
【００７７】
一実施形態では、前記登録リクエストメッセージ又は登録更新リクエストメッセージには端末アップリンクデータが搬送され、
前記装置はさらに、
前記登録リクエストメッセージ又は登録更新リクエストメッセージから前記端末アップリンクデータを抽出し、前記端末アップリンクデータをキャッシュするように構成される第２の抽出ユニット５０７と、
前記第１の取得ユニット５０２が前記端末コンテキスト情報を取得した場合、キャッシュされたアップリンクデータを第３のネットワーク装置に送信するように構成される第２の送信ユニット５０８とを備える。
【００７８】
一実施形態では、前記装置はさらに、
前記第１の取得ユニットが前記端末コンテキスト情報を取得しない場合、前記端末の登録リクエストメッセージ又は登録更新リクエストメッセージを拒否し、前記端末に第２の指示情報を送信するように構成される第３の送信ユニット５０９を備え、前記第２の指示情報は、端末のアップリンクデータが第３のネットワーク装置に送信されないことを指示するために使用される。
【００７９】
一実施形態では、前記登録応答メッセージには端末ダウンリンクデータが搬送されてもよい。
【００８０】
当業者は、図５に示すデータ伝送装置における各ユニットの実現機能が前記データ伝送方法の関連説明を参照して理解されてもよいことを理解するべきである。図５に示すデータ伝送装置における各ユニットの機能はプロセッサに実行されるプログラムによって実現されてもよいし、具体的な論理回路によって実現されてもよい。
【００８１】
図６は本発明の実施例のデータ伝送装置の構造の例示的な構成図２である。図６に示すように、前記データ伝送装置は、
第１のネットワーク装置に登録リクエストメッセージ又は登録更新リクエストメッセージを送信するように構成される送信ユニット６０１であって、前記登録リクエストメッセージ又は登録更新リクエストメッセージが第２のネットワーク装置から端末コンテキスト情報及び端末データを取得するように前記第１のネットワーク装置をトリガするために使用される送信ユニット６０１と、
前記第１のネットワーク装置によって送信された登録応答メッセージを受信するように構成される第１の受信ユニット６０２とを備える。
【００８２】
一実施形態では、前記端末が前記第２のネットワーク装置に対応するサービスエリアから前記第１のネットワーク装置に対応するサービスエリアに移動する場合、前記送信ユニット６０１は、第１のネットワーク装置に登録リクエストメッセージ又は登録更新リクエストメッセージを送信する。
【００８３】
一実施形態では、前記登録リクエストメッセージ又は登録更新リクエストメッセージには前記第２のネットワーク装置の情報が搬送される。
【００８４】
一実施形態では、前記登録リクエストメッセージ又は登録更新リクエストメッセージには第１の指示情報が搬送され、前記第１の指示情報は、前記第２のネットワーク装置から端末データを取得するか否かを指示するために使用される。
【００８５】
一実施形態では、前記登録リクエストメッセージ又は登録更新リクエストメッセージには端末アップリンクデータが搬送される。
【００８６】
一実施形態では、前記装置はさらに、
前記第１のネットワーク装置によって送信された第２の指示情報を受信するように構成される第２の受信ユニット６０３であって、前記第２の指示情報が、端末のアップリンクデータが第３のネットワーク装置に送信されないことを指示するために使用される第２の受信ユニット６０３を備える。
【００８７】
一実施形態では、前記登録応答メッセージには端末ダウンリンクデータが搬送されてもよい。
【００８８】
当業者は、図６に示すデータ伝送装置における各ユニットの実現機能が前記データ伝送方法の関連説明を参照して理解されてもよいことを理解するべきである。図６に示すデータ伝送装置における各ユニットの機能はプロセッサに実行されるプログラムによって実現されてもよいし、具体的な論理回路によって実現されてもよい。
【００８９】
本発明の実施例における上記データ伝送装置は、ソフトウェア機能モジュールの形態で実現され且つ独立した製品として販売又は使用されると、１つのコンピュータ読み取り可能な記憶媒体に記憶されてもよい。このような理解に基づき、本発明の実施例における技術的解決策は本質的に又は従来技術に寄与する部分がソフトウェア製品の形で具現化されてもよく、当該コンピュータソフトウェア製品がコンピュータ装置（パーソナルコンピュータ、サーバー、又はネットワークデバイス等であってもよい）に本発明の様々な実施例に記載される方法の全て又は一部のステップを実行させるためのいくつかの命令を含む、記憶媒体に記憶される。前記憶媒体はＵディスク、モバイルハードディスク、読み取り専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このようにして、本発明の実施例は、いかなる特定のハードウェアとソフトウェアの組み合わせに限定されない。
【００９０】
それに対応して、本発明の実施例によるコンピュータ記憶媒体は、コンピュータ実行可能命令を記憶し、該コンピュータ実行可能命令がプロセッサによって実行される時に本発明の実施例の上記のデータ伝送方法を実現する。
【００９１】
図７は本発明のコンピュータ装置の構造の例示的な構成図である。本発明の実施例のコンピュータ装置は端末であってもよいし、ネットワーク装置であってもよく、図７に示すように、コンピュータ装置１００は一つ又は複数（図で一つだけ示される）のプロセッサ１００２（プロセッサ１００２がマイクロコントローラーユニット（ＭＣＵ：Ｍｉｃｒｏ  Ｃｏｎｔｒｏｌｌｅｒ  Ｕｎｉｔ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などの処理装置を含むことができるがこれらに限定されない）、データを記憶するためのメモリ１００４、及び通信機能のための伝送装置１００６を備えることができる。当業者は、図７に示す構造が例に過ぎず、上記の電子装置の構造を限定するためのものではないことを理解することができる。例えば、コンピュータ装置１００はさらに図７に示すものよりも多く又は少ないコンポーネントを備えることができ、又は図７に示すものと異なる構成を有することができる。
【００９２】
メモリ１００４は、アプリケーションソフトウェアのソフトウェアプログラム及びモジュール、例えば本発明の実施例におけるデータ伝送方法に対応するプログラム命令／モジュールを記憶することに用いられてもよく、プロセッサ１００２は、メモリ１００４に記憶されたソフトウェアプログラム及びモジュールを実行することにより、様々な機能アプリケーション及びデータ処理を実行し、即ち上記の方法を実現する。メモリ１００４は、高速ランダムアクセスメモリを含むことができ、さらに不揮発性メモリ、例えば１つ又は複数の磁気記憶装置、フラッシュメモリ、又は他の不揮発性ソリッドステートメモリを含むことができる。いくつかの実施例では、メモリ１００４はさらにプロセッサ１００２に対して遠隔に設置されたメモリをさらに含むことができ、これらの遠隔メモリがネットワークを介してコンピュータ装置１００に接続されてもよい。上記のネットワークの実施例はインターネット、イントラネット、ローカルエリアネットワーク、移動通信ネットワーク及びそれらの組み合わせを含むがこれらに限定されない。
【００９３】
伝送装置１００６は、１つのネットワークを介してデータを受信又は送信するために使用される。上述したネットワークの具体的な実施例はコンピュータ装置１００の通信ベンダによって提供される無線ネットワークを含むことができる。一例では、伝送装置１００６はインターネットと通信するように、基地局を介して他のネットワーク装置に接続することができるネットワークアダプタ（ＮＩＣ：Ｎｅｔｗｏｒｋ  Ｉｎｔｅｒｆａｃｅ  Ｃｏｎｔｒｏｌｌｅｒ）を含む。一例では、伝送装置１００６はインターネットと無線で通信するための無線周波数（ＲＦ：Ｒａｄｉｏ  Ｆｒｅｑｕｅｎｃｙ）モジュールであってもよい。
【００９４】
本発明の実施例で記載される技術的解決策は、衝突することなく任意に組合わせられてもよい。
【００９５】
本発明が提供するいくつかの実施例では、開示される方法及びスマートデバイスは、他の方式により実現されてもよいと理解すべきである。上述した装置の実施例は例示的なものだけであり、例えば、前記ユニットの区分は、論理機能的区分だけであり、実際に実施する時に他の区分方式もあり得て、例えば複数のユニット又はコンポーネントは組み合わせられてもよく、又は別のシステムに統合されてもよく、又はいくつかの特徴は無視されてもよく、又は実行されなくてもよい。また、示される又は議論される各コンポーネントの間の相互結合、又は直接結合、又は通信接続はいくつかのインターフェース、装置又はユニットを介する間接的結合又は通信接続であってもよいし、電気的、機械的又は他の形態であってもよい。
【００９６】
分離部材として説明される前記ユニットは、物理的に分離するものであってもよく又は物理的に分離するものでなくてもよく、ユニットとして表示される部材は物理的ユニットであってもよく、又は物理的ユニットでなくてもよく、即ち一つの箇所に位置してもよいし、複数のネットワークユニットに分布してもよく、実際のニーズに応じてその中のユニットの一部又は全部を選択して本実施例の技術案の目的を達成することができる。
【００９７】
また、本発明の各実施例における各機能ユニットは全て１つの第２の処理ユニットに統合されてもよいし、個々のユニットは個別に１つのユニットとして機能してもよく、２つ又は２つ以上のユニットは１つのユニットに統合されてもよく、上記の統合されたユニットは、ハードウェアの形で実現されてもよいし、ハードウェアとソフトウェア機能の組み合わせの形で実現されてもよい。
【００９８】
以上は、本発明の具体的な実施形態に過ぎず、本発明の保護範囲はこれに制限されず、当業者であれば本発明に開示された技術的範囲内で容易に想到し得る変更又は入れ替わりが全て本発明の保護範囲以内に含まれるべきである。
【図１】
2021513763.tif 000003
【図２】
2021513763.tif 000004
【図３】
2021513763.tif 000005
【図４】
2021513763.tif 000006
【図５】
2021513763.tif 000007
【図６】
2021513763.tif 000008
【図７】
2021513763.tif 000009
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
データ伝送方法であって、
第１のネットワーク装置が、端末によって送信された登録リクエストメッセージ又は登録更新リクエストメッセージを受信することと、
前記第１のネットワーク装置が、前記登録リクエストメッセージ又は登録更新リクエストメッセージに基づいて、第２のネットワーク装置から端末コンテキスト情報及び端末データを取得することと、
前記第１のネットワーク装置が、前記端末に登録応答メッセージを送信することとを含む、前記データ伝送方法。
【請求項２】
前記第１のネットワーク装置が、端末によって送信された登録リクエストメッセージ又は登録更新リクエストメッセージを受信することは、
前記端末が前記第２のネットワーク装置に対応するサービスエリアから前記第１のネットワーク装置に対応するサービスエリアに移動する場合、前記第１のネットワーク装置が、前記端末によって送信された登録リクエストメッセージ又は登録更新リクエストメッセージを受信することを含むことを特徴とする
請求項１に記載の方法。
【請求項３】
前記登録リクエストメッセージ又は登録更新リクエストメッセージには前記第２のネットワーク装置の情報が搬送され、
前記第１のネットワーク装置が、前記登録リクエストメッセージ又は登録更新リクエストメッセージに基づいて、第２のネットワーク装置から端末コンテキスト情報を取得することは、
前記第１のネットワーク装置が、前記登録リクエストメッセージ又は登録更新リクエストメッセージから前記第２のネットワーク装置の情報を抽出し、前記第２のネットワーク装置の情報に基づいて前記第２のネットワーク装置から端末コンテキスト情報を取得することを含むことを特徴とする
請求項１に記載の方法。
【請求項４】
前記第２のネットワーク装置の情報に基づいて前記第２のネットワーク装置から端末コンテキスト情報を取得することは、
前記第１のネットワーク装置が、前記第２のネットワーク装置の情報に基づいて、前記第２のネットワーク装置に端末コンテキスト情報取得リクエストメッセージを送信することと、
前記第１のネットワーク装置が、前記第２のネットワーク装置によって送信された端末コンテキスト情報を受信することとを含むことを特徴とする
請求項３に記載の方法。
【請求項５】
前記登録リクエストメッセージ又は登録更新リクエストメッセージには第１の指示情報が搬送され、前記第１の指示情報は、前記第２のネットワーク装置から端末データを取得するか否かを指示するために使用され、
前記方法は、
前記第１のネットワーク装置が、前記登録リクエストメッセージ又は登録更新リクエストメッセージから前記第１の指示情報を抽出することと、
前記第１のネットワーク装置が、前記第１の指示情報に基づいて、前記第２のネットワーク装置から端末データを取得するか否かを決定することと、
前記第２のネットワーク装置から端末データを取得することを決定する場合、前記第１のネットワーク装置が、前記第２のネットワーク装置に端末データ取得リクエストメッセージを送信することと、
前記第１のネットワーク装置が、前記第２のネットワーク装置によって送信された端末データを受信することとをさらに含むことを特徴とする
請求項１に記載の方法。
【請求項６】
前記登録リクエストメッセージ又は登録更新リクエストメッセージには端末アップリンクデータが搬送され、
前記方法は、
前記第１のネットワーク装置が、前記登録リクエストメッセージ又は登録更新リクエストメッセージから前記端末アップリンクデータを抽出し、前記端末アップリンクデータをキャッシュすることと、
前記第１のネットワーク装置が、前記端末コンテキスト情報を取得した後、キャッシュされたアップリンクデータを第３のネットワーク装置に送信することとをさらに含むことを特徴とする
請求項１に記載の方法。
【請求項７】
前記方法は、
前記第１のネットワーク装置が前記端末コンテキスト情報を取得しない場合、前記第１のネットワーク装置が前記端末の登録リクエストメッセージ又は登録更新リクエストメッセージを拒否し、前記端末に第２の指示情報を送信することであって、前記第２の指示情報は、端末のアップリンクデータが第３のネットワーク装置に送信されないことを指示すために使用されることをさらに含むことを特徴とする
請求項６に記載の方法。
【請求項８】
前記登録応答メッセージには端末ダウンリンクデータが搬送されてもよいことを特徴とする
請求項１ないし７のいずれか一項に記載の方法。
【請求項９】
データ伝送方法であって、
端末が第１のネットワーク装置に登録リクエストメッセージ又は登録更新リクエストメッセージを送信することであって、前記登録リクエストメッセージ又は登録更新リクエストメッセージが第２のネットワーク装置から端末コンテキスト情報及び端末データを取得するように前記第１のネットワーク装置をトリガするために使用されることと、
前記端末が、前記第１のネットワーク装置によって送信された登録応答メッセージを受信することとを含む、前記データ伝送方法。
【請求項１０】
前記端末が、第１のネットワーク装置に登録リクエストメッセージ又は登録更新リクエストメッセージを送信することは、
前記端末が前記第２のネットワーク装置に対応するサービスエリアから前記第１のネットワーク装置に対応するサービスエリアに移動する場合、前記端末が、第１のネットワーク装置に登録リクエストメッセージ又は登録更新リクエストメッセージを送信することを含むことを特徴とする
請求項９に記載の方法。
【請求項１１】
前記登録リクエストメッセージ又は登録更新リクエストメッセージには前記第２のネットワーク装置の情報が搬送されることを特徴とする
請求項９に記載の方法。
【請求項１２】
前記登録リクエストメッセージ又は登録更新リクエストメッセージには第１の指示情報が搬送され、前記第１の指示情報は、前記第２のネットワーク装置から端末データを取得するか否かを指示するために使用されることを特徴とする
請求項９に記載の方法。
【請求項１３】
前記登録リクエストメッセージ又は登録更新リクエストメッセージには端末アップリンクデータが搬送されることを特徴とする
請求項９に記載の方法。
【請求項１４】
前記方法は、
前記端末が、前記第１のネットワーク装置によって送信された第２の指示情報を受信することであって、前記第２の指示情報が、端末のアップリンクデータが第３のネットワーク装置に送信されないことを指示するために使用されることをさらに含むことを特徴とする
請求項９に記載の方法。
【請求項１５】
前記登録応答メッセージには端末ダウンリンクデータが搬送されてもよいことを特徴とする
請求項９ないし１４のいずれか一項に記載の方法。
【請求項１６】
請求項１ないし８のいずれか一項に記載のデータ伝送方法を実施するためのネットワーク装置。
【請求項１７】
請求項９ないし１５のいずれか一項に記載のデータ伝送方法を実施するための端末。
【請求項１８】
コンピュータ実行可能命令を記憶し、前記コンピュータ実行可能命令がプロセッサによって実行される時に請求項１ないし８のいずれか一項に記載の方法のステップ、又は請求項９ないし１５のいずれか一項に記載の方法のステップを実現するコンピュータ記憶媒体。
【国際調査報告】
2021513763.tif 000010
2021513763.tif 000011
2021513763.tif 000012
2021513763.tif 000013